(57)【特許請求の範囲】
【請求項１】
内部バッテリと、
携帯情報端末本体を据置き台または壁掛け台に載置していることを検出する据置き／壁掛け台検出部と、
前記携帯情報端末本体の現在のＸ軸／Ｙ軸／Ｚ軸の傾斜角度を判定する加速度センサと、を少なくとも備え、
前記携帯情報端末本体を前記据置き台または前記壁掛け台に載置した場合において前記加速度センサによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出部により前記携帯情報端末本体が前記据置き台または前記壁掛け台に載置されていることを検出した場合に、前記加速度センサによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末であって、
人体が発する赤外エネルギーを検出する焦電センサ回路を備え、前記携帯情報端末本体が前記固定状態にあると判定された場合には、前記焦電センサ回路をＯＮして、焦電センサ機能を有効にし、前記携帯情報端末本体が前記固定状態にないと判定された場合には、前記焦電センサ回路をＯＦＦして、焦電センサ機能を無効にすることを特徴とする携帯情報端末。
【請求項２】
内部バッテリと、
携帯情報端末本体を据置き台または壁掛け台に載置していることを検出する据置き／壁掛け台検出部と、
前記携帯情報端末本体の現在のＸ軸／Ｙ軸／Ｚ軸の傾斜角度を判定する加速度センサと、を少なくとも備え、
前記携帯情報端末本体を前記据置き台または前記壁掛け台に載置した場合において前記加速度センサによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出部により前記携帯情報端末本体が前記据置き台または前記壁掛け台に載置されていることを検出した場合に、前記加速度センサによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末であって、
ＡＣアダプタを介して前記内部バッテリを充電する充電回路部を備え、前記携帯情報端末本体が前記固定状態にあると判定された場合には、前記充電回路部をＯＮして、前記内部バッテリへの充電を行い、前記内部バッテリが満充電状態になっていることを検出した場合に、前記内部バッテリへの充電動作を停止する電源設定を行い、前記携帯情報端末本体が前記固定状態にないと判定された場合には、前記充電回路部をＯＦＦしたままにし、前記内部バッテリへの充電を行わないことを特徴とする携帯情報端末。
【請求項３】
内部バッテリと、
携帯情報端末本体を据置き台または壁掛け台に載置していることを検出する据置き／壁掛け台検出部と、
前記携帯情報端末本体の現在のＸ軸／Ｙ軸／Ｚ軸の傾斜角度を判定する加速度センサと、を少なくとも備え、
前記携帯情報端末本体を前記据置き台または前記壁掛け台に載置した場合において前記加速度センサによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出部により前記携帯情報端末本体が前記据置き台または前記壁掛け台に載置されていることを検出した場合に、前記加速度センサによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末であって、
前記携帯情報端末本体を前記据置き台または前記壁掛け台に載置した場合に、電源供給を必要とする各部位に対して、前記内部バッテリから給電を行うかまたは前記ＡＣアダプタから給電を行うかをユーザが選択して、選択した給電方法を電源設定方法として前記記憶部にあらかじめ登録しておき、前記携帯情報端末本体が前記固定状態にあると判定された場合に、前記記憶部にあらかじめ登録された前記電源設定方法にしたがって、電源供給を必要とする各部位に対して、前記ＡＣアダプタからまたは前記内部バッテリから、給電を行うことを特徴とする携帯情報端末。
【請求項４】
前記据置き／壁掛け台検出部は、スイッチのＯＮ／ＯＦＦ状態を機械的な変位によって切り替えるハードウェアスイッチ、または、前記据置き台または前記壁掛け台に搭載した磁石からの磁気の検知結果によって切り替える磁気スイッチ、によって形成されていることを特徴とする請求項１ないし３のいずれかに記載の携帯情報端末。
【請求項５】
内部バッテリを内蔵する携帯情報端末の携帯情報端末本体を据置き台または壁掛け台に載置していることを検出する据置き／壁掛け台検出ステップと、
前記携帯情報端末本体の現在のＸ軸／Ｙ軸／Ｚ軸の傾斜角度を判定する加速度判定ステップと、を少なくとも有し、
前記携帯情報端末本体を前記据置き台または前記壁掛け台に載置した場合において前記加速度判定ステップによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出ステップにより前記携帯情報端末本体が前記据置き台または前記壁掛け台に載置されていることを検出した場合に、前記加速度判定ステップによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末用制御方法であって、
人体が発する赤外エネルギーを検出する赤外エネルギー検出ステップを有し、前記携帯情報端末本体が前記固定状態にあると判定された場合には、前記赤外エネルギー検出ステップによる焦電センサ機能を有効にし、前記携帯情報端末本体が前記固定状態にないと判定された場合には、前記赤外エネルギー検出ステップによる焦電センサ機能を無効にすることを特徴とする携帯情報端末用制御方法。
【請求項６】
内部バッテリを内蔵する携帯情報端末の携帯情報端末本体を据置き台または壁掛け台に載置していることを検出する据置き／壁掛け台検出ステップと、
前記携帯情報端末本体の現在のＸ軸／Ｙ軸／Ｚ軸の傾斜角度を判定する加速度判定ステップと、を少なくとも有し、
前記携帯情報端末本体を前記据置き台または前記壁掛け台に載置した場合において前記加速度判定ステップによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出ステップにより前記携帯情報端末本体が前記据置き台または前記壁掛け台に載置されていることを検出した場合に、前記加速度判定ステップによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末用制御方法であって、
ＡＣアダプタを介して前記内部バッテリを充電する充電ステップを有し、前記携帯情報端末本体が前記固定状態にあると判定された場合には、前記充電ステップにより、前記内部バッテリへの充電を行い、前記内部バッテリが満充電状態になっていることを検出した場合に、前記内部バッテリへの充電動作を停止する電源設定を行い、前記携帯情報端末本体が前記固定状態にないと判定された場合には、前記充電ステップによる前記内部バッテリへの充電を行わないことを特徴とする携帯情報端末用制御方法。
【請求項７】
内部バッテリを内蔵する携帯情報端末の携帯情報端末本体を据置き台または壁掛け台に載置していることを検出する据置き／壁掛け台検出ステップと、
前記携帯情報端末本体の現在のＸ軸／Ｙ軸／Ｚ軸の傾斜角度を判定する加速度判定ステップと、を少なくとも有し、
前記携帯情報端末本体を前記据置き台または前記壁掛け台に載置した場合において前記加速度判定ステップによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出ステップにより前記携帯情報端末本体が前記据置き台または前記壁掛け台に載置されていることを検出した場合に、前記加速度判定ステップによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定する携帯情報端末用制御方法であって、
前記携帯情報端末本体を前記据置き台または前記壁掛け台に載置した場合に、電源供給を必要とする各部位に対して、前記内部バッテリから給電を行うかまたは前記ＡＣアダプタから給電を行うかをユーザが選択して、選択した給電方法を電源設定方法として前記記憶部にあらかじめ登録しておき、前記携帯情報端末本体が前記固定状態にあると判定された場合に、前記記憶部にあらかじめ登録された前記電源設定方法にしたがって、電源供給を必要とする各部位に対して、前記ＡＣアダプタからまたは前記内部バッテリから、給電を行うことを特徴とする携帯情報端末用制御方法。
【請求項８】
請求項５ないし７のいずれかに記載の携帯情報端末用制御方法を、コンピュータによって実行させるための携帯情報端末用制御プログラム。
【発明の詳細な説明】
【技術分野】
【０００１】
本発明は、携帯情報端末、携帯情報端末用制御方法および携帯情報端末用制御プログラムに関し、特に、携帯情報端末に搭載した焦電センサ機能や充電機能を効果的に制御可能とする仕組みに関する。本発明の携帯情報端末は、携帯電話機、ＰＨＳ（Personal Handy-Phone System）端末、ＰＤＡ（Personal Digital Assistantｓ）端末、スマートフォン端末、タブレット端末、ノートＰＣ（Personal Computer）、移動型ＰＣ、移動型テレビ、モニタ等、焦電センサ機能や充電機能を備えた端末に好適に適用することができる。
【背景技術】
【０００２】
携帯情報端末の分野においては、近年、大きな画面を搭載したタブレット端末が市場に多く出回っている。タブレット端末の利用局面としては、携帯して外出先で利用するケースのみならず、家庭内や職場内の据置き台や壁掛け台に載置してフォトスタンドやインターネット端末として使用されているケースが多い。
【０００３】
また、携帯情報端末は、一般に、内部バッテリを搭載しており、該内部バッテリの充電を行う充電機能や、省電力化等を図るための焦電センサ機能を搭載している。焦電センサは、人体からの赤外エネルギーを検知して電荷に変換することができる。そこで、携帯情報端末に焦電センサを搭載した焦電センサ機能付き端末では、その焦電センサ機能を利用して、ユーザが使用していない状態を検知して、端末の画面表示を消す等の電源制御を行い、端末省電力化が可能である。
【０００４】
焦電センサ機能は、主に、据置き充電台／壁掛け台などで固定した状態において使用することが多い。ユーザが携帯情報端末を携行して使用している場合のように、端末移動時においても、焦電センサ機能の検出機能を有効な状態に設定していると、端末使用中に、省電力への移行要因を検出してしまい、通常使用に支障を来すという問題を抱えている。このため、焦電センサ機能は、据置き充電台／壁掛け台などに載置した固定状態においてのみ有効にすることが望ましいが、従来の焦電センサ機能付き端末においては、焦電センサ機能を常に有効な状態に設定している。
【０００５】
また、タブレット端末等の携帯情報端末を据置き充電台／壁掛け台などに載置して固定した状態で使用する場合、内部バッテリを充電しつつ、使用することができる状態になっているが、タブレット端末等の携帯情報端末の内部バッテリは一般に容量が小さいため、携帯情報端末内の各部位に供給するための電源は、内部バッテリではなく、家庭内のＡＣ電源を用い、ＡＣアダプタを介して据置き充電台／壁掛け台などをＡＣコンセントに接続して使用するケースが多い。
【０００６】
しかし、内部バッテリがリチウムイオンバッテリの場合、充電サイクルを繰り返すと、電池寿命が縮まるという問題がある。また、タブレット端末等の携帯情報端末を据置き充電台／壁掛け台などに載置した状態が継続して、内部バッテリの満充電の状態が長く続くと、劣化が早くなるという問題がある。このため、タブレット端末等の携帯情報端末を据置き充電台／壁掛け台に載置した場合であっても、内部バッテリが満充電になっていれば、ＡＣ電源からの内部バッテリに対する充電動作を停止し、ＡＣ電源は、携帯情報端末の電源供給を要する部位に対する電源供給のみを行うことが望ましいが、従来の充電機能付きの携帯情報端末においては、据置き充電台／壁掛け台などに載置した状態にある場合は、一般に、内部バッテリへの充電動作を常に行うように制御している。
【０００７】
また、特許文献１の特開２００６−００４２６１号公報「携帯情報端末および携帯情報端末用クレードル装置並びに情報端末システム」においては、携帯情報端末を載置するクレードルに複数の載置面を備えて、携帯情報端末の載置した位置や姿勢に応じて異なる動作を行う技術が開示されている。すなわち、該特許文献１に記載の携帯情報端末用クレードル装置においては、クレードルに載置されている携帯情報端末の姿勢を検出する姿勢検出手段と、該姿勢検出手段により携帯情報端末が第１の姿勢で載置面に載置されていることが検出された場合には、第１の処理を行い、該姿勢検出手段により携帯情報端末が第２の姿勢で載置面に載置されていることが検出された場合には、第２の処理を行うように制御する制御手段とを設けている。そして、前記第１の処理としては、携帯情報端末の内部バッテリの充電に関する処理を行い、前記第２の処理としては、携帯情報端末と外部機器とのデータ通信に関する処理を行うように制御している。
【０００８】
つまり、前記特許文献１においては、クレードルにスイッチを設け、携帯情報端末が載置された位置や姿勢に応じて、スイッチがＯＮまたはＯＦＦのいずれかの状態に切り替わり、該スイッチのＯＮ／ＯＦＦの状態を監視する制御手段により、第１の処理／第２の処理のいずれかの処理を行うように制御している。しかし、スイッチが何らかの要因によってＯＮ／ＯＦＦが切り替わった場合に、携帯情報端末が誤動作してしまう可能性がある。
【先行技術文献】
【特許文献】
【０００９】
【特許文献１】特開２００６−００４２６１号公報（第６−８頁）
【発明の開示】
【発明が解決しようとする課題】
【００１０】
以上のように、従来の携帯情報端末に関する技術においては、次のような問題がある。
【００１１】
第１の問題は、携帯情報端末を据置き台や壁掛け台に載置して固定している状態になっていない状態で、使用している場合においても、省電力への移行要因を検出してしまい、通常使用に支障を来すという点にある。
【００１２】
第２の問題は、携帯情報端末の内部バッテリとしてリチウムイオン電池を用いる場合が多いが、リチウムイオン電池は充電サイクルを繰り返すと、電池寿命が縮まるという問題がある。また、内部バッテリは満充電の状態が長く続くと、劣化が早くなるという問題もある。
【００１３】
第３の問題は、携帯情報端末を据置き台や壁掛け台に載置した位置や姿勢に応じてＯＮ／ＯＦＦするスイッチの状態のみに基づいて、内部バッテリの充電等の動作の可否を判断する場合、該スイッチの状態を何らかの要因で誤検出してしまうと、携帯情報端末の誤動作を引き起こすという点にある。
【００１４】
（本発明の目的）
本発明は、かかる事情に鑑みてなされたものであり、据置き台や壁掛け台に正しく載置して固定した状態にある場合に限って、搭載している焦電センサの機能を有効にし、かつ、内部バッテリの寿命を短縮させることなく、効果的な電源設定動作を行うことを可能にする携帯情報端末、携帯情報端末用制御方法および携帯情報端末用制御プログラムを提供することを、その目的としている。
【課題を解決するための手段】
【００１５】
前述の課題を解決するため、本発明による携帯情報端末、携帯情報端末用制御方法および携帯情報端末用制御プログラムは、主に、次のような特徴的な構成を採用している。
【００１６】
（１）本発明による携帯情報端末は、内部バッテリを内蔵する携帯情報端末であって、携帯情報端末本体を据置き台または壁掛け台に載置していることを検出する据置き／壁掛け台検出部と、前記携帯情報端末本体の現在のＸ軸／Ｙ軸／Ｚ軸の傾斜角度を判定する加速度センサとを少なくとも備え、前記携帯情報端末本体を前記据置き台または前記壁掛け台に載置した場合において前記加速度センサによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出部により前記携帯情報端末本体が前記据置き台または前記壁掛け台に載置されていることを検出した場合に、前記加速度センサによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定することを特徴とする。
【００１７】
（２）本発明による携帯情報端末用制御方法は、内部バッテリを内蔵する携帯情報端末の動作を制御する携帯情報端末用制御方法であって、携帯情報端末本体を据置き台または壁掛け台に載置していることを検出する据置き／壁掛け台検出ステップと、前記携帯情報端末本体の現在のＸ軸／Ｙ軸／Ｚ軸の傾斜角度を判定する加速度判定ステップとを少なくとも有し、前記携帯情報端末本体を前記据置き台または前記壁掛け台に載置した場合において前記加速度判定ステップによって判定された前記携帯情報端末本体のＸ軸／Ｙ軸／Ｚ軸の傾斜角度に対して、読み取り誤差の吸収用としてあらかじめ定めた特定のばらつき範囲を加味した角度情報を、前記据置き台または前記壁掛け台に前記携帯情報端末本体が正しく載置されたか否かを確認するための角度範囲を規定している角度閾値として、記憶部にあらかじめ登録しておき、前記据置き／壁掛け台検出ステップにより前記携帯情報端末本体が前記据置き台または前記壁掛け台に載置されていることを検出した場合に、前記加速度判定ステップによって判定された前記携帯情報端末本体の現在の傾斜角度が、前記記憶部にあらかじめ登録されている前記角度閾値の範囲内に収まっていた場合に、前記携帯情報端末本体が前記据置き台または前記壁掛け台に正しく載置されて固定した固定状態にあるものと判定することを特徴とする。
【００１８】
（３）本発明による携帯情報端末用制御プログラムは、少なくとも前記（２）に記載の携帯情報端末用制御方法を、コンピュータによって実行可能なプログラムとして実施していることを特徴とする。
【発明の効果】
【００１９】
本発明の携帯情報端末、携帯情報端末用制御方法および携帯情報端末用制御プログラムによれば、以下のような効果を奏することができる。
【００２０】
第１の効果として、携帯情報端末が据置き台または壁掛け台に載置されたか否かを、据置き／壁掛け台検出部の検出結果のみで判定することなく、さらに、加速度センサからの現在の角度情報も用いて判定しているので、たとえ、携帯情報端末が据置き台または壁掛け台に載置されていることを据置き／壁掛け台検出部が誤って検出する事態が発生しても、焦電センサ機能や電源設定機能を有効にすることなく、無効の状態に設定することが可能である。
【００２１】
第２の効果として、据置き台または壁掛け台に載置していない状態で携帯情報端末をユーザが使用している場合には、焦電センサ機能を無効に設定することが可能になるので、ユーザが携帯情報端末を使用している最中に、省電力要因を検出してしまい、通常使用に支障を来すという事態の発生を確実に防止することができる。
【００２２】
第３の効果として、携帯情報端末を据置き台または壁掛け台に載置した状態において、内部バッテリが満充電に達している場合には、ＡＣアダプタから内部バッテリへの充電動作を停止し、ＡＣアダプタからは、当該携帯情報端末の電源を必要とする部位への電源供給動作のみを行うように電源制御を実施することが可能であるので、内部バッテリがリチウムイオンバッテリからなっている場合であっても、バッテリ寿命が縮まったり、バッテリ性能が劣化したりすることを、確実に防止することができる。
【図面の簡単な説明】
【００２３】
【図１】本発明の携帯情報端末の外観の一例を示す外観図である。
【図２】図１に示す携帯情報端末の内部構成の一例を示すブロック構成図である。
【図３】図１に示した携帯情報端末を据置き台／壁掛け台に載置した状態を説明するための詳細図である。
【図４】図１に示した携帯情報端末を据置き台／壁掛け台に載置した場合の載置角度を角度閾値として記憶部にあらかじめ登録する動作の一例を示すフローチャートである。
【図５】図１に示した携帯情報端末を据置き台／壁掛け台に載置した場合の焦電センサ機能の制御に関する動作の一例を示すフローチャートである。
【図６】図１に示した携帯情報端末を据置き台／壁掛け台に載置した場合の電源設定方法を記憶部にあらかじめ登録する動作の一例を示すフローチャートである。
【図７】図１に示した携帯情報端末０を据置き台／壁掛け台に載置した場合の電源設定の制御に関する動作の一例を示すフローチャートである。
【発明を実施するための形態】
【００２４】
以下、本発明による携帯情報端末、携帯情報端末用制御方法および携帯情報端末用制御プログラムの好適な実施形態について添付図を参照して説明する。なお、以下の説明においては、本発明による携帯情報端末および携帯情報端末用制御方法について説明するが、かかる携帯情報端末用制御方法をコンピュータにより実行可能な携帯情報端末用制御プログラムとして実施するようにしても良いし、あるいは、携帯情報端末用制御プログラムをコンピュータにより読み取り可能な記録媒体に記録するようにしても良いことは言うまでもない。
【００２５】
なお、本発明の携帯情報端末としては、携帯電話機、ＰＨＳ（Personal Handy-Phone System）端末、ＰＤＡ（Personal Digital Assistantｓ）端末、スマートフォン端末、タブレット端末、ノートＰＣ（Personal Computer）、移動型ＰＣ、移動型テレビ、モニタ等、焦電センサ機能や充電機能を備えた端末であれば如何なる端末であっても構わない。
【００２６】
（本発明の特徴）
本発明の実施形態の説明に先立って、本発明の特徴についてその概要をまず説明する。本発明は、焦電センサ機能を備えた携帯情報端末において、据置き充電台に載置した状態または壁掛け状態以外の状態に携帯情報端末がなっている場合に限って、携帯情報端末の焦電センサ機能を有効にすることを主な特徴としている。また、内部バッテリとしてリチウムイオンバッテリを備えた充電機能付き携帯情報端末においては、据置き充電台に正しく載置して固定した固定状態または正しい壁掛け状態になっている場合に、内部バッテリの寿命を縮めることがないように、電源の供給が必要な各部位に対する給電方法を設定するとともに、内部バッテリへの充電をするか否かの選択機能を有することを特徴としている。
【００２７】
より具体的には、携帯情報端末は、人体からの赤外エネルギーを感知する人感センサすなわち焦電センサレンズ部と、据置き充電台／壁掛け台に当該携帯情報端末が正しく載置されたか否かを確認するための携帯情報端末の角度範囲を規定している角度閾値として、据置き充電台に載置した状態または壁掛け状態にした際の当該携帯情報端末の載置角度（角度状態）を記憶部にユーザによりあらかじめ登録することができる機能と、当該携帯情報端末を据置き充電台に載置した状態または壁掛け状態にしたことを検出する据置き／壁掛け台検出部と、当該携帯情報端末の現在の角度情報を判定する加速度センサと、を少なくとも備えている。
【００２８】
而して、前記据置き／壁掛け台検出部により当該携帯情報端末が据置き充電台への載置状態／壁掛け状態になったことが検出され、かつ、前記加速度センサにより判定された配置角度（角度状態）が、前記記憶部に記憶された角度閾値の範囲内にあった場合には、当該携帯情報端末本体が据置き充電台／壁掛け台に正しく載置されて固定した固定状態になったものと判定して、人感センサすなわち焦電センサレンズ部からの出力を受け取るセンサ回路をＯＮして、人体が発する赤外エネルギーを焦電センサレンズ部が検出していない状態であれば、当該携帯情報端末をユーザは使用していないものと判断して、省電力動作に移行することが可能な状態に設定する。
【００２９】
さらに、当該携帯情報端末本体が据置き充電台／壁掛け台に正しく載置されて固定した固定状態になったものと判定した場合には、内部バッテリへの充電が完了次第、該内部バッテリへの充電を停止するとともに、据置き充電台／壁掛け台に接続されたＡＣアダプタから当該携帯情報端末の各部位に対して直接電源供給を行う状態に切り替えることにより、該内部バッテリからの当該携帯情報端末用電源としての漏れを無くして、内部バッテリに対する充電→満充電→充電というサイクルを無くし、かつ、満充電状態においてさらに充電を継続するという事態を防止している。
【００３０】
（本発明の実施形態）
次に、本発明の携帯情報端末の実施形態について説明する。図１は、本発明の携帯情報端末の外観の一例を示す外観図であり、焦電センサ機能を搭載した携帯情報端末の外観を示している。
【００３１】
図１に示す携帯情報端末１０において、焦電センサレンズ部１０１は、人体が発する赤外線の量の変化を検出するセンサであって、検出されない場合には、当該携帯情報端末１０を省電力モードに移行させる機能を有している。また、ＬＣＤ１０２は、文字や画像を画面表示する液晶ディスプレイであり、据置き／壁掛け台検出部１０３は、当該携帯情報端末１０が据置き／壁掛け台に載置されているか否かを検出するための検出スイッチである。
【００３２】
据置き／壁掛け台検出部１０３としては、据置き／壁掛け台に磁石を設置し、携帯情報端末１０側に磁気センサを設けて磁石の磁気を検出する磁気スイッチとして構成するようにしても良い。あるいは、機械的な応力に感知して作動する機械的なハードウェアスイッチとしても良い。図１においては、据置き／壁掛け台検出部１０３としてハードウェアスイッチをイメージした図として表現している。また、充電端子部１０４は、携帯情報端末１０が据置き／壁掛け台に載置された場合に、直流電圧が印加される端子であり、２つある端子のうち、片側が＋端子、片側が−端子である。ＫＥＹ操作部１０５は、ユーザにより携帯情報端末１０の機能操作を行う部位である。
【００３３】
（第１の実施形態の内部構成例）
次に、図１に示した携帯情報端末１０の内部構成について、その一例を、図２を用いて説明する。図２は、図１に示す携帯情報端末１０の内部構成の一例を示すブロック構成図であり、内部バッテリであるリチウムイオンバッテリ２１０への充電経路の他に、各部位に対する電源の供給経路について、全体の制御を行う制御部２０７に対する電源の供給経路を例にとって、太い矢印破線で例示している。
【００３４】
図２に示す携帯情報端末１０は、焦電センサレンズ部１０１、表示部のＬＣＤ１０２、据置き／壁掛け台検出部１０３、充電端子部１０４、ＫＥＹ操作部１０５、焦電センサ回路２０６、制御部２０７、記憶部２０８、充電回路部２０９、リチウムイオンバッテリ２１０、加速度センサ２１１、クロック部２１２、を少なくとも含んで構成されている。焦電センサレンズ部１０１、ＬＣＤ１０２、据置き／壁掛け台検出部１０３、充電端子部１０４、ＫＥＹ操作部１０５の各部位は、それぞれ、図１において説明したような機能を有している。
【００３５】
また、焦電センサ回路２０６は、焦電センサレンズ部１０１が取り込んだ光（赤外光）を解析する部位であり、人体から発せされる赤外エネルギーを検出する。制御部２０７は、携帯情報端末１０のすべての機能動作を司る部位であり、例えば、焦電センサ回路２０６からの検出結果を読み取って、人体の存在の有無を判定し、かつ、記憶部２０８に登録されている角度閾値と加速度センサ２１１から得られる当該携帯情報端末１０の据置き／壁掛け台への載置角度との照合結果に基づいて、焦電センサ回路２０６をＯＮ／ＯＦＦする制御も行っている。
【００３６】
記憶部２０８は、当該携帯情報端末１０の端末機能のための種々の情報を記憶している部位であり、例えば、据置き台または壁掛け台に当該携帯情報端末１０が正しく載置されたか否かを確認するための携帯情報端末１０の角度範囲を規定している角度閾値に関する情報も、ユーザからの操作によってあらかじめ登録している。
【００３７】
充電回路部２０９は、充電端子部１０４からＡＣアダプタを介して供給された直流電圧を用いて、当該携帯情報端末１０の内部バッテリであるリチウムイオンバッテリ２１０の充電を行うとともに、当該携帯情報端末１０の各部位に対して電源を供給する部位である。つまり、充電回路部２０９は、図２には、太い矢印破線で示すように、充電端子部１０４からの充電用の電圧を端末動作電圧に変換して、制御部２０７に対して供給している例を示しているが、それぞれの電源を使用する各部位に対してもそれぞれ所要の動作電圧に変換して供給している。また、充電回路部２０９は、充電用に用いる電圧をリチウムイオンバッテリ２１０に対して供給しているが、リチウムイオンバッテリ２１０の電池電圧を常時モニタしていて、満充電の状態に達した際には、直ちに、リチウムイオンバッテリ２１０に対する充電動作を停止する。なお、当該携帯情報端末１０を据置き／壁掛け台に載置している状態においては、ユーザからの指示に応じて、当該携帯情報端末１０の各部位に対する電源の供給を、リチウムイオンバッテリ２１０からではなく、充電回路部２０９から行う電源設定動作も可能にしている。
【００３８】
加速度センサ２１１は、当該携帯情報端末１０本体の現在のＸ軸／Ｙ軸／Ｚ軸の傾斜角度を判定する部位であり、当該携帯情報端末１０を据置き／壁掛け台に載置している状態においては、据置き／壁掛け台への載置角度を判定している。また、クロック部２１２は、時間生成に必要となるタイミング情報を出力する部位であり、出力された時間情報は制御部２０７により管理されている。
【００３９】
図２の携帯情報端末１０において、据置き台／壁掛け台への正しい載置を確認するための角度閾値として、据置き台／壁掛け台への携帯情報端末１０の載置角度の範囲を、ユーザにより、ＫＥＹ操作部１０５から据置き台／壁掛け台への携帯情報端末１０の載置角度の設定要求の入力がなされた場合には、以下の動作を行う。
【００４０】
まず、据置き／壁掛け台検出部１０３により当該携帯情報端末１０の据置き台／壁掛け台への載置が検出されて、制御部２０７により、当該携帯情報端末１０が据置き台または壁掛け台に載置されていると判断された場合、制御部２０７は、加速度センサ２１１より当該携帯情報端末１０の現在の角度情報を読み出して、読み出した現在の角度情報を記憶部２０８に一旦保存する。このとき、加速度センサ２１１の読み取り角度情報にばらつきが存在している可能性があるため、制御部２０７は、加速度センサ２１１より読み出した現在の角度情報にあらかじめ定めた特定のばらつき範囲を加味した結果を、当該携帯情報端末１０が据置き台／壁掛け台に正しく載置されて固定した固定状態になっていることを判断するための角度閾値として、記憶部２０８にあらかじめ登録している。
【００４１】
しかる後に、ユーザが、当該携帯情報端末１０を据置き台または壁掛け台に載置した場合に、制御部２０７は、当該携帯情報端末１０の据置き台または壁掛け台への載置がなされた旨の据置き／壁掛け台検出部１０３からの検出結果が得られ、かつ、加速度センサ２１１から読み出した当該携帯情報端末１０の現在の角度情報が、記憶部２０８にあらかじめ登録されている角度閾値の範囲内にあると判断した場合には、当該携帯情報端末１０の本体が据置き充電台／壁掛け台に正しく載置されて固定した固定状態になったものと判定して、例えば、焦電センサ回路２０６をＯＮし、人体が発する赤外エネルギーの感知動作を有効に設定する。
【００４２】
また、ユーザが、当該携帯情報端末１０を据置き台または壁掛け台から外した場合、制御部２０７は、当該携帯情報端末１０の据置き台または壁掛け台の載置状態がなくなったとの据置き／壁掛け台検出部１０３からの検出結果に基づいて、当該携帯情報端末１０は移動状態に移行したものと判断し、例えば、焦電センサ回路２０６をＯＦＦし、人体が発する赤外エネルギーの感知動作を無効に設定する。
【００４３】
図３は、図１に示した携帯情報端末１０を据置き台／壁掛け台に載置した状態を説明するための詳細図であり、図３（Ａ）は携帯情報端末１０を据置き台３０１に載置した状態を示し、同図（Ｂ）は携帯情報端末１０を壁掛け台３０２に載置した状態を示す。図３に示す据置き台３０１／壁掛け台３０２は、それぞれの側面形状の一例を示しているが、据置き台３０１／壁掛け台３０２の構造上の携帯情報端末１０の載置角度は、図３に示すような状態に限るものではなく、任意の角度であって構わない。
【００４４】
図３において、点線は、焦電センサ機能を有する携帯情報端末１０の据置き台３０１または壁掛け台３０２への載置状態を示している。また、携帯情報端末１０を載置した際に、据置き台３０１／壁掛け台３０２から出ている突起に嵌合する携帯情報端末１０本体側の底部には、図１における据置き／壁掛け台検出部１０３が配置されており、据置き／壁掛け台検出部１０３が、該突起に嵌合されて加わった応力によって変位してＯＮする機械的なハードウェアスイッチからなっている場合を示している。なお、前述したように、据置き台３０１／壁掛け台３０２側には磁石を設置し、据置き／壁掛け台検出部１０３として、携帯情報端末１０側に磁気センサを設けて、据置き台３０１／壁掛け台３０２側の磁石からの磁気を検出する磁気スイッチによって構成するようにしても良い。
【００４５】
ＡＣアダプタ３０３は、ＡＣコンセントから供給されてくる家庭用のＡＣ電源をＤＣ電源に変換するものであり、据置き台３０１／壁掛け台３０２に載置された携帯情報端末１０に対して、リチウムイオンバッテリ２１０充電用の充電電圧を供給するとともに、携帯情報端末１０内の各部位に対する動作電源を供給する機能も有している。
【００４６】
（実施形態の動作の説明）
次に、図１ないし図３に示した携帯情報端末１０の動作について、その一例を説明する。まず、焦電センサ機能を有する携帯情報端末１０を、図３に示すような据置き台３０１／壁掛け台３０２に載置した際の載置角度を、据置き台３０１または壁掛け台３０２に当該携帯情報端末１０が正しく載置されたか否かを確認するための携帯情報端末１０の角度範囲を規定している角度閾値として記憶部２０８にあらかじめ登録する動作について図４のフローチャートを用いて説明する。図４は、図１に示した携帯情報端末１０を据置き台３０１／壁掛け台３０２に正しく載置した場合の載置角度を角度閾値として記憶部２０８にあらかじめ登録する動作の一例を示すフローチャートであり、制御部２０７における動作の一例を示している。以降の説明においては、図２に示した携帯情報端末１０のブロック図を参照しながら、前記角度閾値の登録動作について説明する。
【００４７】
図４のフローチャートにおいて、制御部２０７は、角度閾値の登録動作を開始（ＳＴＡＲＴ）すると（ステップ４０１）、ユーザにより、ＫＥＹ操作部１０５から、据置き台３０１／壁掛け台３０２に対する携帯情報端末１０の角度閾値に関する設定要求の入力があったか否かを確認する（ステップ４０２）。ユーザから携帯情報端末１０の角度閾値に関する設定要求の入力があった場合には（ステップ４０２のＹＥＳ）、制御部２０７は、据置き／壁掛け台検出部１０３の検出結果に基づいて、据置き台３０１または壁掛け台３０２に当該携帯情報端末１０が載置されているか否かの確認を行う（ステップ４０３）。
【００４８】
据置き／壁掛け台検出部１０３の検出結果として、据置き台３０１または壁掛け台３０２に当該携帯情報端末１０が載置されていることを検出した場合（ステップ４０３のＹＥＳ）、制御部２０７は、加速度センサ２１１から読み出したＸ軸／Ｙ軸／Ｚ軸の各角度情報に対して読み取り誤差の吸収用としてあらかじめ定めた特定のばらつき範囲を加味した角度情報を、据置き台３０１または壁掛け台３０２に当該携帯情報端末１０が正しく載置されたか否かを確認するための携帯情報端末１０の角度範囲を規定している角度閾値として、記憶部２０８に登録するとともに、焦電センサ回路２０６をＯＦＦして、焦電センサ機能の動作を無効に設定する（ステップ４０４）。
【００４９】
なお、前記特定のばらつき範囲は、使用する据置き台３０１／壁掛け台３０２に応じてユーザが記憶部２０８に適宜設定するようにしても良いが、ここでは、携帯情報端末１０の出荷時に記憶部２０８内にあらかじめ設定されているものとする。ステップ４０４において、角度閾値の登録動作が終了し、焦電センサ回路２０６をＯＦＦした後は、ステップ４０１のＳＴＡＲＴに復帰する。
【００５０】
一方、ステップ４０３において、据置き／壁掛け台検出部１０３の検出結果として、据置き台３０１または壁掛け台３０２に当該携帯情報端末１０が載置されていることを検出しなかった場合には（ステップ４０３のＮＯ）、制御部２０７は、表示部であるＬＣＤ１０２に"端末を据置き台／壁掛け台に置いて下さい"という案内メッセージを画面表示して、ユーザに対して、携帯情報端末１０を据置き台３０１または壁掛け台３０２に載置するように通知を行う（ステップ４０５）。しかる後、該案内メッセージに応じて、ユーザが携帯情報端末１０を据置き台３０１または壁掛け台３０２に載置したか否かを確認するために、制御部２０７は、据置き／壁掛け台検出部１０３の検出結果に基づいて、据置き台３０１または壁掛け台３０２に当該携帯情報端末１０が載置されているか否かの確認を行う（ステップ４０６）。
【００５１】
据置き／壁掛け台検出部１０３の検出結果として、据置き台３０１または壁掛け台３０２に当該携帯情報端末１０が載置されていることを検出した場合（ステップ４０６のＹＥＳ）、制御部２０７は、ステップ４０４の動作に移行する。一方、据置き／壁掛け台検出部１０３の検出結果として、据置き台３０１または壁掛け台３０２に当該携帯情報端末１０が載置されていることを検出しなかった場合には（ステップ４０６のＮＯ）、制御部２０７は、タイマーとして、クロック部２１２から読み出した時刻情報に基づいて、前記案内メッセージのＬＣＤ１０２への画面表示後の時間経過をカウントする（ステップ４０７）。
【００５２】
しかる後、タイマーのカウント結果として、前記案内メッセージのＬＣＤ１０２への画面表示後の時間経過があらかじめ定めたｘ秒を経過したか否かの確認を行う（ステップ４０８）。前記案内メッセージのＬＣＤ１０２への画面表示後の時間経過がｘ秒を経過するまでは（ステップ４０８のＮＯ）、ステップ４０６からステップ４０８までの処理を繰り返す。一方、制御部２０７が、前記案内メッセージのＬＣＤ１０２への画面表示後の時間経過がｘ秒を経過したと判断した場合には（ステップ４０８のＹＥＳ）、タイムアウトと判断して、据置き台３０１または壁掛け台３０２に当該携帯情報端末１０が正しく載置されたか否かを確認するための携帯情報端末１０の角度範囲を規定している角度閾値の登録動作に関する一連の処理を中止して、ステップ４０１のＳＴＡＲＴに復帰する。
【００５３】
以上のような処理を行うことによって、据置き台３０１または壁掛け台３０２に当該携帯情報端末１０が正しく載置されたか否かを確認するための携帯情報端末１０の角度範囲を規定している角度閾値をユーザからの指示によって記憶部２０８にあらかじめ登録する動作が実施される。次に、記憶部２０８に前記角度閾値があらかじめ登録されている状態において、携帯情報端末１０を据置き台３０１／壁掛け台３０２に載置した場合の動作について、その一例を、図５のフローチャートを用いて説明する。図５は、図１に示した携帯情報端末１０を据置き台３０１／壁掛け台３０２に載置した場合の焦電センサ機能の制御に関する動作の一例を示すフローチャートであり、制御部２０７における動作の一例を示している。以降の説明においては、図２に示した携帯情報端末１０のブロック図を参照しながら、焦電センサ機能の制御に関する動作について説明する。
【００５４】
図５のフローチャートにおいて、記憶部２０８に前記角度閾値があらかじめ登録されている携帯情報端末１０が、据置き台３０１／壁掛け台３０２に載置されていない端末移動状態においては、制御部２０７は、焦電センサ回路２０６をＯＦＦして、焦電センサ機能を無効の状態に設定している（ステップ５０１）。かかる状態においても、ユーザが携帯情報端末１０を据置き台３０１／壁掛け台３０２に載置したことを即座に検出するために、制御部２０７は、据置き／壁掛け台検出部１０３の検出結果に基づいて、据置き台３０１または壁掛け台３０２に当該携帯情報端末１０が載置されたか否かの確認を行っている（ステップ５０２）。
【００５５】
据置き／壁掛け台検出部１０３の検出結果として、据置き台３０１または壁掛け台３０２に当該携帯情報端末１０が載置されたことを検出した場合（ステップ５０２のＹＥＳ）、制御部２０７は、記憶部２０８に、据置き台３０１または壁掛け台３０２に当該携帯情報端末１０が正しく載置されたか否かを確認するための携帯情報端末１０の角度範囲を規定している角度情報として角度閾値が登録されているか否かを確認する（ステップ５０３）。
【００５６】
記憶部２０８に、前記角度閾値が登録されていなかった場合には（ステップ５０３のＮＯ）、制御部２０７は、焦電センサ回路２０６をＯＦＦのままにして、ステップＳ５０１に復帰する。一方、前記角度閾値が記憶部２０８に登録されていた場合には（ステップ５０３のＹＥＳ）、制御部２０７は、加速度センサ２１１によって判定された当該携帯情報端末１０の現在の角度情報を読み取って、現在の角度情報と記憶部２０８に登録されている前記角度閾値とを比較する（ステップ５０４）。
【００５７】
加速度センサ２１１によって判定された当該携帯情報端末１０の現在の角度情報が、記憶部２０８に登録されている前記角度閾値の範囲内に収まっていなかった場合には（ステップ５０４のＮＯ）、制御部２０７は、当該携帯情報端末１０が据置き台３０１／壁掛け台３０２に正しく載置されていないにも関わらず、据置き／壁掛け台検出部１０３により当該携帯情報端末１０が据置き台３０１／壁掛け台３０２に載置されているものと誤って検出された場合と見做して、焦電センサ回路２０６をＯＦＦのままにして、ステップＳ５０１に復帰する。
【００５８】
これに対して、加速度センサ２１１によって判定された当該携帯情報端末１０の現在の角度情報が、記憶部２０８に登録されている前記角度閾値の範囲内に収まっていた場合には（ステップ５０４のＹＥＳ）、制御部２０７は、当該携帯情報端末１０が据置き台３０１／壁掛け台３０２に載置されていることを検出した据置き／壁掛け台検出部１０３の検出結果が正しいものと判断し、当該携帯情報端末１０の本体が据置き台３０１／壁掛け台３０２に正しく載置されて固定した固定状態になったものと判定して、焦電センサ回路２０６のＯＮし、焦電センサ機能を有効な状態に設定する（ステップ５０５）。
【００５９】
しかる後、据置き台３０１／壁掛け台３０２に載置していた携帯情報端末１０をユーザが据置き台３０１／壁掛け台３０２から外したことを即座に検出するために、制御部２０７は、据置き／壁掛け台検出部１０３の検出結果に基づいて、据置き台３０１または壁掛け台３０２から当該携帯情報端末１０が外されたか否かの確認を行う（ステップ５０６）。
【００６０】
据置き／壁掛け台検出部１０３の検出結果として、据置き台３０１または壁掛け台３０２から当該携帯情報端末１０が外されたことを検出しない限り（ステップ５０６のＮＯ）、制御部２０７は、ステップ５０６に待機して、当該携帯情報端末１０が外されたことを検出するまで待ち合わせる。一方、据置き／壁掛け台検出部１０３の検出結果として、据置き台３０１または壁掛け台３０２から当該携帯情報端末１０が外されたことを検出した場合には（ステップ５０６のＹＥＳ）、ステップ５０１に復帰して、焦電センサ回路２０６をＯＮの状態からＯＦＦの状態に切り替えて、焦電センサ機能を有効な状態から無効の状態に遷移させる。
【００６１】
(本発明の実施形態における他の動作例) 
次に、本発明の携帯情報端末１０の図４、図５の場合とは異なる動作例について説明する。本動作例においては、図１ないし図３に示したように、内部バッテリであるリチウムイオンバッテリ２１０の充電機能を有する携帯情報端末１０において、据置き台３０１または壁掛け台３０２に載置した場合の当該携帯情報端末１０の電源設定の制御に関する動作例について説明する。
【００６２】
まず、携帯情報端末１０を据置き台３０１または壁掛け台３０２に載置した場合の当該携帯情報端末１０の電源の設定方法を記憶部２０８にあらかじめ登録する動作について、その一例を、図６のフローチャートを用いて説明する。図６は、図１に示した携帯情報端末１０を据置き台３０１／壁掛け台３０２に載置した場合の電源設定方法を記憶部２０８にあらかじめ登録する動作の一例を示すフローチャートであり、制御部２０７における動作の一例を示している。以降の説明においては、図２に示した携帯情報端末１０のブロック図を参照しながら、電源設定方法の登録動作について説明する。
【００６３】
図６のフローチャートにおいて、制御部２０７は、電源設定方法の登録動作を開始（ＳＴＡＲＴ）すると（ステップ６０１）、ユーザにより、ＫＥＹ操作部１０５から、据置き台３０１／壁掛け台３０２に載置した際の携帯情報端末１０の電源設定方法に関する選択要求の入力があったか否かを確認する（ステップ６０２）。ユーザから携帯情報端末１０の電源設定方法に関する選択要求の入力があった場合には（ステップ６０２のＹＥＳ）、制御部２０７は、据置き／壁掛け台検出部１０３の検出結果に基づいて、据置き台３０１または壁掛け台３０２に当該携帯情報端末１０が載置されているか否かの確認を行う（ステップ６０３）。
【００６４】
据置き／壁掛け台検出部１０３の検出結果として、据置き台３０１または壁掛け台３０２に当該携帯情報端末１０が載置されていることを検出した場合（ステップ６０３のＹＥＳ）、制御部２０７は、次いで、ユーザにより、ＫＥＹ操作部１０５から、据置き台３０１／壁掛け台３０２に載置した場合の当該携帯情報端末１０の電源設定方法の選択として、携帯情報端末１０内の電源を必要とする各部位に対しては据置き台３０１／壁掛け台３０２のＡＣアダプタ３０３から給電を行い、かつ、リチウムイオンバッテリ２１０が満充電になった場合には据置き台３０１／壁掛け台３０２のＡＣアダプタ３０３からリチウムイオンバッテリ２１０に対する充電動作を行わないという"電池充電無"が選択されているか否かを確認する（ステップ６０４）。
【００６５】
当該携帯情報端末１０の電源設定方法の選択として、携帯情報端末１０内の電源を必要とする各部位に対してはＡＣアダプタ３０３から給電を行うという"電池充電無"が選択されていた場合には（ステップ６０４のＹＥＳ）、制御部２０７は、加速度センサ２１１から読み出したＸ軸／Ｙ軸／Ｚ軸の各角度情報に対して読み取り誤差の吸収用としてあらかじめ定めた特定のばらつき範囲を加味した角度情報を、据置き台３０１または壁掛け台３０２に当該携帯情報端末１０が正しく載置されたか否かを確認するための携帯情報端末１０の角度範囲を規定している角度閾値として、記憶部２０８に登録するとともに、当該携帯情報端末１０を据置き台３０１／壁掛け台３０２に載置した場合の当該携帯情報端末１０の電源設定方法の選択結果として、ＡＣアダプタ３０３から給電を行う"電池充電無"という電源設定方法を記憶部２０８に登録する（ステップ６０９）。
【００６６】
一方、ステップ６０４において、当該携帯情報端末１０の電源設定方法の選択として、ＡＣアダプタ３０３から給電を行うという"電池充電無"が選択されていなかった場合には（ステップ６０４のＮＯ）、ユーザにより、ＫＥＹ操作部１０５から、据置き台３０１／壁掛け台３０２に載置した場合の当該携帯情報端末１０の電源設定方法の選択として、携帯情報端末１０内の電源を必要とする各部位に対してはリチウムイオンバッテリ２１０から給電を行い、かつ、据置き台３０１／壁掛け台３０２のＡＣアダプタ３０３から内部バッテリ（リチウムイオンバッテリ２１０）に対する充電動作を行うという"電池充電有"が選択されている場合である。
【００６７】
したがって、制御部２０７は、加速度センサ２１１から読み出したＸ軸／Ｙ軸／Ｚ軸の各角度情報に対して読み取り誤差の吸収用としてあらかじめ定めた特定のばらつき範囲を加味した角度情報を、据置き台３０１または壁掛け台３０２に当該携帯情報端末１０が正しく載置されたか否かを確認するための携帯情報端末１０の角度範囲を規定している角度閾値として、記憶部２０８に登録するとともに、当該携帯情報端末１０を据置き台３０１／壁掛け台３０２に載置した場合の当該携帯情報端末１０の電源設定方法の選択結果として、リチウムイオンバッテリ２１０から給電を行う"電池充電有"という電源設定方法を記憶部２０８に登録する（ステップ６１０）。
【００６８】
なお、ステップ６０９およびステップ６１０に記載の前記特定のばらつき範囲は、使用する据置き台３０１／壁掛け台３０２に応じてユーザが記憶部２０８に適宜設定するようにしても良いが、ここでは、携帯情報端末１０の出荷時に記憶部２０８内にあらかじめ設定されているものとする。ステップ６０９およびステップ６１０において、電源設定方法の登録動作が終了した後は、ステップ６０１のＳＴＡＲＴに復帰する。
【００６９】
一方、ステップ６０３において、据置き／壁掛け台検出部１０３の検出結果として、据置き台３０１または壁掛け台３０２に当該携帯情報端末１０が載置されていることを検出しなかった場合には（ステップ６０３のＮＯ）、制御部２０７は、表示部であるＬＣＤ１０２に"端末を据置き台／壁掛け台に置いて下さい"という案内メッセージを画面表示して、ユーザに対して、携帯情報端末１０を据置き台３０１または壁掛け台３０２に載置するように通知を行う（ステップ６０５）。しかる後、該案内メッセージに応じて、ユーザが携帯情報端末１０を据置き台３０１または壁掛け台３０２に載置したか否かを確認するために、制御部２０７は、据置き／壁掛け台検出部１０３の検出結果に基づいて、据置き台３０１または壁掛け台３０２に当該携帯情報端末１０が載置されているか否かの確認を行う（ステップ６０６）。
【００７０】
据置き／壁掛け台検出部１０３の検出結果として、据置き台３０１または壁掛け台３０２に当該携帯情報端末１０が載置されていることを検出した場合（ステップ６０６のＹＥＳ）、制御部２０７は、ステップ６０４の動作に移行する。一方、据置き／壁掛け台検出部１０３の検出結果として、据置き台３０１または壁掛け台３０２に当該携帯情報端末１０が載置されていることを検出しなかった場合には（ステップ６０６のＮＯ）、制御部２０７は、タイマーとして、クロック部２１２から読み出した時刻情報に基づいて、前記案内メッセージのＬＣＤ１０２への画面表示後の時間経過をカウントする（ステップ６０７）。
【００７１】
しかる後、タイマーのカウント結果として、前記案内メッセージのＬＣＤ１０２への画面表示後の時間経過があらかじめ定めたｘ秒を経過したか否かの確認を行う（ステップ６０８）。前記案内メッセージのＬＣＤ１０２への画面表示後の時間経過がｘ秒を経過するまでは（ステップ６０８のＮＯ）、ステップ６０６からステップ６０８までの処理を繰り返す。一方、制御部２０７が、前記案内メッセージのＬＣＤ１０２への画面表示後の時間経過がｘ秒を経過したと判断した場合には（ステップ６０８のＹＥＳ）、タイムアウトと判断して、電源設定方法の登録動作に関する一連の処理を中止して、ステップ６０１のＳＴＡＲＴに復帰する。
【００７２】
以上のような処理を行うことによって、携帯情報端末１０を据置き台３０１または壁掛け台３０２に載置した場合の当該携帯情報端末１０の電源設定方法をユーザからの指示によって記憶部２０８にあらかじめ登録する動作が実施される。次に、据置き台３０１／壁掛け台３０２に載置された場合の携帯情報端末１０の電源設定方法が記憶部２０８にあらかじめ登録されている状態において、充電機能を有する携帯情報端末１０を据置き台３０１／壁掛け台３０２に載置した場合の動作について、その一例を、図７のフローチャートを用いて説明する。図７は、図１に示した携帯情報端末１０を据置き台３０１／壁掛け台３０２に載置した場合の電源設定の制御に関する動作の一例を示すフローチャートであり、制御部２０７における動作の一例を示している。以降の説明においては、図２に示した携帯情報端末１０のブロック図を参照しながら、電源設定の制御に関する動作について説明する。
【００７３】
図７のフローチャートにおいて、電源設定の制御に関する動作を開始（ＳＴＡＲＴ）すると（ステップ７０１）、記憶部２０８に電源設定方法があらかじめ登録されている携帯情報端末１０が、ユーザにより据置き台３０１／壁掛け台３０２に載置されたことを即座に検出するために、制御部２０７は、据置き／壁掛け台検出部１０３の検出結果に基づいて、据置き台３０１または壁掛け台３０２に当該携帯情報端末１０が載置されたか否かの確認を行っている（ステップ７０２）。
【００７４】
据置き／壁掛け台検出部１０３の検出結果として、据置き台３０１または壁掛け台３０２に当該携帯情報端末１０が載置されたことを検出しなかった場合（ステップ７０２のＮＯ）、電源設定動作を行うことなく、ステップ７０１に復帰する。一方、据置き／壁掛け台検出部１０３の検出結果として、据置き台３０１または壁掛け台３０２に当該携帯情報端末１０が載置されたことを検出した場合には（ステップ７０２のＹＥＳ）、制御部２０７は、記憶部２０８に、据置き台３０１または壁掛け台３０２に当該携帯情報端末１０が正しく載置されたか否かを確認するための携帯情報端末１０の角度範囲を規定している角度情報として角度閾値が登録されているか否かをまず確認する（ステップ７０３）。
【００７５】
記憶部２０８に、前記角度閾値があらかじめ登録されていなかった場合には（ステップ７０３のＮＯ）、制御部２０７は、電源設定動作を行うことなく、ステップＳ７０１に復帰する。一方、前記角度閾値が記憶部２０８に登録されていた場合には（ステップ７０３のＹＥＳ）、制御部２０７は、加速度センサ２１１によって判定された当該携帯情報端末１０の現在の角度情報を読み取って、現在の角度情報と記憶部２０８に登録されている前記角度閾値とを比較する（ステップ７０４）。
【００７６】
加速度センサ２１１によって判定された当該携帯情報端末１０の現在の角度情報が、記憶部２０８に登録されている前記角度閾値の範囲内に収まっていなかった場合には（ステップ７０４のＮＯ）、制御部２０７は、当該携帯情報端末１０が据置き台３０１／壁掛け台３０２に正しく載置されていないにも関わらず、据置き／壁掛け台検出部１０３により当該携帯情報端末１０が据置き台３０１／壁掛け台３０２に載置されているものと誤って検出された場合と見做して、電源設定動作を行うことなく、ステップＳ７０１に復帰する。
【００７７】
これに対して、加速度センサ２１１によって判定された当該携帯情報端末１０の現在の角度情報が、記憶部２０８に登録されている前記角度閾値の範囲内に収まっていた場合には（ステップ７０４のＹＥＳ）、制御部２０７は、当該携帯情報端末１０が据置き台３０１／壁掛け台３０２に載置されていることを検出した据置き／壁掛け台検出部１０３の検出結果が正しいものと判断し、当該携帯情報端末１０の本体が据置き台３０１／壁掛け台３０２に正しく載置されて固定した固定状態になったものと判定する。そして、記憶部２０８にあらかじめ登録されている据置き台３０１／壁掛け台３０２に載置時の電源設定方法を読み出して、読み出した電源設定方法として、携帯情報端末１０内の電源を必要とする各部位に対しては、据置き台３０１／壁掛け台３０２のＡＣアダプタ３０３から給電を行い、かつ、リチウムイオンバッテリ２１０が満充電になった場合には、据置き台３０１／壁掛け台３０２のＡＣアダプタ３０３からリチウムイオンバッテリ２１０に対する充電動作を行わないという"電池充電無"の電源設定方法が設定登録されているか否かを確認する（ステップ７０５）。
【００７８】
記憶部２０８に登録されている電源設定方法として、携帯情報端末１０内の電源を必要とする各部位に対しては据置き台３０１／壁掛け台３０２のＡＣアダプタ３０３から給電を行い、かつ、リチウムイオンバッテリ２１０が満充電になった場合には据置き台３０１／壁掛け台３０２のＡＣアダプタ３０３からリチウムイオンバッテリ２１０に対する充電動作を行わないという"電池充電無"の電源設定方法が設定登録されていた場合には（ステップ７０５のＹＥＳ）、次に、制御部２０７は、充電回路部２０９の充電動作から得られる情報に基づいて、リチウムイオンバッテリ２１０が満充電になっているか否かを確認する（ステップ７０６）。充電回路部２０９の充電動作から得られる情報として、リチウムイオンバッテリ２１０が満充電になっていない場合は（ステップ７０６のＮＯ）、制御部２０７は、充電回路部２０９を制御して、リチウムイオンバッテリ２１０が満充電に達するまで、ＡＣアダプタ３０３から供給される充電電圧によるリチウムイオンバッテリ２１０への充電動作を継続する。
【００７９】
これに対して、充電回路部２０９の充電動作から得られる情報として、リチウムイオンバッテリ２１０が満充電になった場合に（ステップ７０６のＹＥＳ）、制御部２０７は、充電回路部２０９を制御して、リチウムイオンバッテリ２１０に対する充電動作を直ちにＯＦＦするとともに、携帯情報端末１０の電源を必要とする各部位に対する電源として、リチウムイオンバッテリ２１０を用いるのではなく、ＡＣアダプタ３０３からの直流電圧を変換して給電を行うという電源設定を行った後（ステップ７０７）、ステップ７０８に移行する。
【００８０】
一方、ステップ７０５において、記憶部２０８に登録されている電源設定方法として、"電池充電無"の電源設定方法が設定登録されていなかった場合は（ステップ７０５のＮＯ）、携帯情報端末１０内の電源を必要とする各部位に対しては内部バッテリのリチウムイオンバッテリ２１０から給電を行い、かつ、ＡＣアダプタ３０３からリチウムイオンバッテリ２１０に対する充電動作を行うという"電池充電有"が設定登録されていた場合である。したがって、制御部２０７は、充電回路部２０９を制御して、満充電に達するまでＡＣアダプタ３０３からリチウムイオンバッテリ２１０に対する充電動作をＯＮするとともに、携帯情報端末１０の電源を必要とする各部位に対する電源として、ＡＣアダプタ３０３からの直流電圧ではなく、リチウムイオンバッテリ２１０から給電を行うという電源設定を行った後（ステップ７０９）、ステップ７０８に移行する。
【００８１】
ステップ７０８に移行すると、据置き台３０１／壁掛け台３０２に載置していた携帯情報端末１０をユーザが据置き台３０１／壁掛け台３０２から外したことを即座に検出するために、制御部２０７は、据置き／壁掛け台検出部１０３の検出結果に基づいて、据置き台３０１または壁掛け台３０２から当該携帯情報端末１０が外されたか否かの確認を行う（ステップ７０８）。
【００８２】
据置き／壁掛け台検出部１０３の検出結果として、据置き台３０１または壁掛け台３０２から当該携帯情報端末１０が外されたことを検出しない限り（ステップ７０８のＮＯ）、制御部２０７は、ステップ７０８に待機して、当該携帯情報端末１０が外されたことを検出するまで待ち合わせる。一方、据置き／壁掛け台検出部１０３の検出結果として、据置き台３０１または壁掛け台３０２から当該携帯情報端末１０が外されたことを検出した場合には（ステップ７０８のＹＥＳ）、制御部２０７は、まず、携帯情報端末１０の電源を必要とする各部位に対する電源として、リチウムイオンバッテリ２１０から給電しているか否かを確認する。
【００８３】
携帯情報端末１０の電源を必要とする各部位に対する電源として、リチウムイオンバッテリ２１０から給電していた場合には、その電源設定動作を維持したまま、ステップ７０１に復帰するが、リチウムイオンバッテリ２１０から給電していなかった場合には、充電回路部２０９を制御して、リチウムイオンバッテリ２１０から給電を行うという電源設定を行った後（ステップ７１０）、ステップ７０１に復帰して、次の電源設定動作に備える。
【００８４】
（実施形態の効果の説明）
以上に詳細に説明したように、本発明の各実施形態における携帯情報端末１０においては、以下に示すよう効果が得られる。
【００８５】
第１の効果として、携帯情報端末１０が据置き台３０１または壁掛け台３０２に載置されたか否かを、据置き／壁掛け台検出部１０３の検出結果のみで判定することなく、さらに、加速度センサ２１１からの現在の角度情報も用いて判定しているので、たとえ、携帯情報端末１０が据置き台３０１または壁掛け台３０２に載置されていることを据置き／壁掛け台検出部１０３が誤って検出する事態が発生しても、焦電センサ機能や電源設定機能を有効にすることなく、無効の状態に設定することが可能である。
【００８６】
第２の効果として、据置き台３０１または壁掛け台３０２に載置していない状態で携帯情報端末１０をユーザが使用している場合には、焦電センサ回路２０６をＯＦＦして、焦電センサ機能を無効に設定するので、ユーザが携帯情報端末１０を使用している最中に、省電力要因を検出してしまい、通常使用に支障を来すという事態の発生を確実に防止することができる。
【００８７】
第３の効果として、携帯情報端末１０を据置き台３０１または壁掛け台３０２に載置した状態において、内部バッテリのリチウムイオンバッテリ２１０が満充電に達している場合には、ＡＣアダプタ３０３から内部バッテリのリチウムイオンバッテリ２１０への充電動作を停止し、ＡＣアダプタ３０３からは、当該携帯情報端末１０の電源を必要とする部位への電源供給動作のみを行うように電源制御を実施しているので、リチウムイオンバッテリ２１０のバッテリ寿命が縮まったり、バッテリ性能が劣化したりすることを、確実に防止することができる。
【００８８】
すなわち、本発明の実施形態においては、据置き／壁掛け台検出部１０３の検出結果として携帯情報端末１０が据置き台３０１／壁掛け台３０２に載置されていることを検出しなかった場合、および、据置き／壁掛け台検出部１０３の検出結果として携帯情報端末１０が据置き台３０１／壁掛け台３０２に載置されていることを検出しても、加速度センサ２１１から読み出した当該携帯情報端末１０の現在の角度情報が記憶部２０８にあらかじめ登録されている角度閾値の角度範囲内に収まっていなかった場合には、当該携帯情報端末１０が据置き台３０１または壁掛け台３０２に正しく載置されて、安定した充電動作が可能な、固定した固定状態にはなっていないものと判定する。
【００８９】
一方、据置き／壁掛け台検出部１０３の検出結果として携帯情報端末１０が据置き台３０１／壁掛け台３０２に載置されていることを検出し、かつ、加速度センサ２１１から読み出した当該携帯情報端末１０の現在の角度情報が記憶部２０８にあらかじめ登録されている角度閾値の角度範囲内に収まっていた場合には、当該携帯情報端末１０が据置き台３０１または壁掛け台３０２に正しく載置されて、安定した充電動作が可能な、固定した固定状態になっているものと判定する。
【００９０】
したがって、携帯情報端末１０が据置き台３０１または壁掛け台３０２に正しく載置されて固定した固定状態になっているか否かを、据置き／壁掛け台検出部１０３の検出結果と加速度センサ２１１からの現在の角度情報との双方の情報に基づいて判定しているので、たとえ、携帯情報端末１０が据置き台３０１または壁掛け台３０２に載置されていることを据置き／壁掛け台検出部１０３が誤って検出した場合であっても、焦電センサ回路２０６や充電回路部２０９をＯＮすることなく、焦電センサ機能や充電機能を無効の状態のままに設定することが可能である。
【００９１】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００９２】
１０        携帯情報端末
１０１      焦電センサレンズ部
１０２      ＬＣＤ
１０３      据置き／壁掛け台検出部
１０４      充電端子部
１０５      ＫＥＹ操作部
２０６      焦電センサ回路
２０７      制御部
２０８      記憶部
２０９      充電回路部
２１０      リチウムイオンバッテリ
２１１      加速度センサ
２１２      クロック部
３０１      据置き台
３０２      壁掛け台
３０３      ＡＣアダプタ
【図１】
0005939617.tif 000002
【図２】
0005939617.tif 000003
【図３】
0005939617.tif 000004
【図４】
0005939617.tif 000005
【図５】
0005939617.tif 000006
【図６】
0005939617.tif 000007
【図７】
0005939617.tif 000008